(57)【要約】【課題】水平方向に伸縮自在に構成されたクローゼット本体に対して、一人でも簡単な作業で着脱できるようにしたカバー構造を有するクローゼットを提供する。【解決手段】相対向して設置される左右一対の側部体と、該一対の側部体を横架するように設置されかつ一対の複数個のハンガーを吊持するハンガーパイプと、該ハンガーパイプの前後に配設された一対の前後のカーテンパイプと、を有しかつ水平方向に伸縮自在に構成されたクローゼット本体を具備し、前記クローゼット本体の前記前後のカーテンパイプにそれぞれ複数枚のカーテンを摺動自在に取り付け、前記クローゼット本体の左右の側部体をそれぞれ左右の側部カバー部材で被覆し、さらに前記クローゼット本体の上部を互いに摺動可能に取付けられる一対の上部カバー部材で被覆するようにした。【選択図】図１
0003141011.tif 000002
【実用新案登録請求の範囲】
【請求項１】
相対向して設置される左右一対の側部体と、該一対の側部体を横架するように設置されかつ一対の複数個のハンガーを吊持するハンガーパイプと、該ハンガーパイプの前後に配設された一対の前後のカーテンパイプと、を有しかつ水平方向に伸縮自在に構成されたクローゼット本体を具備し、前記クローゼット本体の前記前後のカーテンパイプにそれぞれ複数枚のカーテンを摺動自在に取り付け、前記クローゼット本体の左右の側部体をそれぞれ左右の側部カバー部材で被覆し、さらに前記クローゼット本体の上部を互いに摺動可能に取付けられる一対の上部カバー部材で被覆するようにしたことを特徴とする着脱可能なカバー構造付クローゼット。
【考案の詳細な説明】
【技術分野】
【０００１】
本考案は、水平方向に伸縮自在に構成されたクローゼット本体に対して、簡単な作業で着脱できるようにしたカバー構造を有するクローゼットに関するものである。
【背景技術】
【０００２】
相対向して設置される左右一対の側部体と、該一対の側部体を横架するように設置されかつ一対の複数個のハンガーを吊持するハンガーパイプと、該ハンガーパイプの前後に配設された一対の前後のカーテンパイプと、を有しかつ水平方向に伸縮自在に構成されたクローゼット本体を具備し、このクローゼット本体をカバーで被覆して簡易式クローゼット構造とし、複数の衣服類をハンガーに掛けて収納保管する構造は従来から知られている（例えば、特許文献１及び２）。この種の簡易式クローゼット構造体は量販店や通販で個人が購入して自分で組み立てて使用するのが通常である。  
【特許文献１】登録実用新案第３００７４５８号
【特許文献２】登録実用新案第３０３６９６１号
【考案の開示】
【考案が解決しようとする課題】
【０００３】
上記した従来構造の簡易式クローゼットにおいては、収納されている衣服類を塵や埃等に起因する汚れから保護するためにクローゼット本体の両側部、上部及び後部（後部カーテンが設けられる場合には後部の被覆は省略する場合がある）をカバー部材で被覆する構造となっている。このカバー部材は、不織布や帆布等の丈夫な布材で形成されているために、このカバー部材で大型のクローゼット本体を被覆して最終のクローゼット構造とするのは購入者一人の作業としては大変な作業であって、カバー部材の取り付け作業に対して購入者一人であっても簡単に組み立てられる構造とならないかという大きな要望があった。
【０００４】
本考案は、上記のような点に鑑みて考案されたものであり、水平方向に伸縮自在に構成されたクローゼット本体に対して、一人でも簡単な作業で着脱できるようにしたカバー構造を有するクローゼットを提供することを目的とする。
【課題を解決するための手段】
【０００５】
上記目的を達成するために、本考案の着脱可能なカバー構造付クローゼットは、相対向して設置される左右一対の側部体と、該一対の側部体を横架するように設置されかつ一対の複数個のハンガーを吊持するハンガーパイプと、該ハンガーパイプの前後に配設された一対の前後のカーテンパイプと、を有しかつ水平方向に伸縮自在に構成されたクローゼット本体を具備し、前記クローゼット本体の前記前後のカーテンパイプにそれぞれ複数枚のカーテンを摺動自在に取付け、前記クローゼット本体の左右の側部体をそれぞれ左右の側部カバー部材で被覆し、さらに前記クローゼット本体の上部を互いに摺動可能に取付けられる一対の上部カバー部材で被覆するようにしたことを特徴とする。
【考案の効果】
【０００６】
本考案の着脱可能なカバー構造付クローゼットによれば、水平方向に伸縮自在に構成されたクローゼット本体に対して、一人でも簡単な作業でカバー部材を着脱できるという効果を奏するものである。
【考案を実施するための最良の形態】
【０００７】
以下に、本考案の一つの実施の形態を添付図面とともに説明する。
図１は本考案のクローゼット本体の組立態様の第１手順を示す斜視説明図で、クローゼット本体の第１組立体に対して前部第１カーテンパイプを装着する状態を示し、矢視Ａ図は前部第１カーテンパイプの一端部を前部第２側支柱の上端部に取付ける取付態様の拡大斜視図、矢視Ｂ図は矢視Ａ図の概略側面図、矢視Ｃ図は前部第１カーテンパイプの他端部を前部第１中間支柱の上端部に取付ける取付け態様の拡大斜視図である。図２は本考案のクローゼット本体の組立態様の第２手順を示す斜視説明図で、クローゼット本体の第２組立体に対して前部第２カーテンパイプを装着する状態を示し、矢視Ｄ図は前部第２カーテンパイプの他端部を前部第１側支柱の上端部に取付ける取付態様の拡大斜視図、矢視Ｅ図は矢視Ｄ図の概略側面図、矢視Ｆ図は前部第２カーテンパイプの一端部を前部第１カーテンパイプの他端部に取付ける取付け態様の拡大斜視図である。図３は本考案のクローゼット本体の組立態様の第３手順を示す斜視説明図で、クローゼット本体の第３組立体の前部カーテンパイプに取付けられる複数枚のカーテンを準備している状態を示す。図４は本考案のクローゼット本体をカバー部材で被覆する態様を示す斜視説明図で、カバー部材をそれぞれの取付け位置の近傍に配置した状態を示す。図５は本考案の着脱可能なカバー構造付クローゼットの組立を完成した状態を示す斜視説明図である。図６は前部第１下部支柱の伸縮構造を示す斜視説明図である。
【０００８】
図１において、１０ａはクローゼット本体の第１組立体である。該クローゼット本体の第１組立体１０ａにおいては、上中下の３本の第１横桟支柱１１ａ，１１ｂ，１１ｃを介して所定の間隔をおいて立設された前後一対の第１側支柱１２ａ,１２ｂと、上中下の３本の第２横桟支柱１３ａ，１３ｂ，１３ｃを介して所定の間隔をおいて該第１側支柱１２ａ,１２ｂに相対向して立設された前後一対の第１中間支柱１４ａ，１４ｂと、上中下の３本の第３横桟支柱１５ａ，１５ｂ，１５ｃを介して所定の間隔をおいて該第１中間支柱１４，１４に相対向して立設された前後一対の第２中間支柱１６ａ，１６ｂと、上中下の３本の第４横桟支柱１７ａ，１７ｂ，１７ｃを介して所定の間隔をおいて該第２中間支柱１６ａ，１６ｂに相対向して立設された前後一対の第２側支柱１８ａ，１８ｂがそれぞれ設けられている。
【０００９】
該第１側支柱１２ａ,１２ｂ及び第１中間支柱１４ａ，１４ｂの下部には一対の前後の第１下部支柱２０ａ，２０ｂが横架され、また第２中間支柱１６ａ，１６ｂ及び第２側支柱１８ａ，１８ｂの下部には一対の前後の第２下部支柱２２ａ，２２ｂが横架されている。
【００１０】
該第１側支柱１２ａ,１２ｂ、第１中間支柱１４ａ，１４ｂ、第２中間支柱１６ａ，１６ｂ及び第２側支柱１８ａ，１８ｂの上部には前後一対の第１上部支柱２４ａ，２４ｂが横架されている。２６は第１縦桟支柱で、第１中間横桟支柱１１ｂと第２中間横桟支柱１３ｂとを介して設けられている。２８は第２縦桟支柱で、第３中間横桟支柱１５ｂと第４中間横桟支柱１７ｂとを介して設けられている。
【００１１】
３０は第１ハンガーパイプで、第１上部横桟支柱１１ａと第２上部横桟支柱１３ａとを介して設けられている。３２は第２ハンガーパイプで、第３上部横桟支柱１５ａと第４上部横桟支柱１７ａとを介して設けられている。該ハンガーパイプ３０，３２には衣服等を掛けることのできる複数個のハンガーが吊持される。前記第１中間支柱１４ａ，１４ｂと第２中間支柱１６ａ，１６ｂとの間には、上中下の３つの網状棚材３４ａ，３４ｂ，３４ｃが取付けられている。
【００１２】
次に、カーテンパイプ（前部第１及び第２カーテンパイプ）の装着について図１及び図２を用いて説明する。図１の矢視Ａ図及び矢視Ｂ図において、３６ａは前部第１カーテンパイプで、その一端部には支持片３８ａが突設されている。該支持片３８ａにはネジ孔４０ａが開穿されている。図１の矢視Ａ図及び矢視Ｂ図に示したように、前部第２側支柱１８ａの上端部に穿設されたネジ孔４２、上記支持片３８ａのネジ孔４０ａ及び前部第１上部支柱２４ａの一端部に穿設されたネジ孔４４ａにネジ棒４６をレンチ等の締付具４８によってねじ込むことによって、前部第１カーテンパイプ３６ａの一端部が前部第２側支柱１８ａの上端部及び前部第１上部支柱２４ａの一端部に一体的に固着される。
【００１３】
図１の矢視Ｃ図において、３６ａは前部第１カーテンパイプで、その他端部には支持片３８ｂが突設されている。該支持片３８ｂにはネジ孔４０ｂが開穿されている。図１の矢視Ｃ図に示したように、前部第１中間支柱１４ａの上端部に穿設されたネジ孔５０、上記支持片３８ｂのネジ孔４０ｂ及び前部第１上部支柱２４ａの中央部に穿設されたネジ孔５２にネジ棒４６をレンチ等の締付具（図１の矢視Ｃ図においては図示を省略）によってねじ込むことによって、前部第１カーテンパイプ３６ａの他端部が前部第１中間支柱１４ａの上端部及び前部第１上部支柱２４ａの中央部に一体的に固着される。
【００１４】
上記したように、クローゼット本体の第１組立体１０ａに対して、前部第１カーテンパイプ３６ａの他端部が前部第１中間支柱１４ａの上端部及び前部第１上部支柱２４ａの中央部に一体的に固着されたものをクローゼット本体の第２組立体１０ｂとして図２に示す。この第２組立体１０ｂに対する前部第２カーテンパイプの取付けについて図２によってさらに説明する。図２の矢視Ｄ図及び矢視Ｅ図において、３６ｂは前部第２カーテンパイプで、前部第１カーテンパイプ３６ａと一体的に接続されて前部カーテンパイプを構成する。前部第２カーテンパイプ３６ｂの他端部には支持片３８ｃが突設されている。該支持片３８ｃにはネジ孔４０ｃが開穿されている。図２の矢視Ｄ図及び矢視Ｅ図に示したように、前部第１側支柱１２ａの上端部に穿設されたネジ孔５４、上記支持片３８ｃのネジ孔４０ｃ及び前部第１上部支柱２４ａの他端部に穿設されたネジ孔４４ｂにネジ棒４６をレンチ等の締付具４８によってねじ込むことによって、前部第２カーテンパイプ３６ｂの他端部が前部第１側支柱１２ａの上端部及び前部第１上部支柱２４ａの他端部に一体的に固着される。
【００１５】
図２の矢視Ｆ図において、前部第１カーテンパイプ３６ａの他端部が前部第１中間支柱１４ａの上端部及び前部第１上部支柱２４ａの中央部にネジ棒４６をねじ込むことによって一体的に固着されている。前部第２カーテンパイプ３６ｂの他端部は図２の矢視Ｄ図及び矢視Ｅ図に示したように、前部第１側支柱１２ａの上端部及び前部第１上部支柱２４ａの他端部に一体的に固着されており、該前部第２カーテンパイプ３６ｂの一端部を前部第１カーテンパイプ３６ａの他端部に挿入することによって、該前部第１及び第２カーテンパイプ３６ａ，３６ｂが一体的に接続されて、図３に示すように前部カーテンパイプ３６となる。同様の取付け操作によって（再度の説明は省略する）、後部カーテンパイプ３７も取付けられる（図３）。前記クローゼット本体の第２組立体１０ｂに対して、前部第２カーテンパイプ３６ｂを取付けて前部カーテンパイプ３６とし、さらに後部カーテンパイプ３７も取付けた状態をクローゼット本体の第３組立体１０ｃとする。
【００１６】
図３の矢視Ｇ図に示すように、クローゼット本体の第３組立体１０ｃの状態から、前部カーテンパイプ３６に多数のカーテンフック５６を挿通し、該カーテンフック５６に前部カーテン５８のカーテン孔６０を通して複数枚（図３においては４枚の例が示されている）の前部カーテン５８を開閉自在に取付ける。図３に示されるように、後部カーテンパイプ３７にも同様にして、複数枚の後部カーテン６２が開閉自在に取付けられる。この状態でクローゼット本体１０ｄとなる。前後の第１側支柱１２ａ，１２ｂを含む側部部分をクローゼット本体１０ｄの第１側部体（左側部体）１２Ａとし、前後の第２側支柱１８ａ，１８ｂを含む側部部分をクローゼット本体１０ｄの第２側部体（右側部体）１８Ａとする。  
【００１７】
なお、前記第１下部支柱２０ａ，２０ｂ、前記第１上部支柱２４ａ，２４ｂ、前記第１縦桟支柱２６、前記第１ハンガーパイプ３０、及び前部カーテンパイプ３６はそれぞれ伸縮自在に構成されており、従って、クローゼット本体１０ｄは水平方向に伸縮自在な構成となっている。なお、上記支柱及びパイプの伸縮構造は公知の構造を使用すればよいが、例えば、前部第１下部支柱２０ａを例として図６によって説明する。図６において、前部第１下部支柱２０ａは、径大なる第１中空材１９ａと、該第１中空材１９ａに挿通可能とされた径小なる第２中空材１９ｂとを有している。２１ａは該第１中空材１９ａの適宜位置に開穿されたネジ孔で、２１ｂは該ネジ孔２１ａにねじ込まれるネジ棒である。該第２中空材１９ｂを該第１中空材１９ａに挿通し、ネジ棒２１ｂを該ネジ孔２１ａにねじ込むことによって、該第２中空材１９ｂを該第１中空材１９ａ内に係止固定することができる。上記の構成により、該前部第１下部支柱２０ａは伸縮可能な構造となる。その他の第１上部支柱２４ａ，２４ｂ、前記第１縦桟支柱２６、前記第１ハンガーパイプ３０、及び前部カーテンパイプ３６も伸縮可能とされているが、前部第１下部支柱２０ａの伸縮構造と同様であるので、重複を避けるため個々の説明は省略する。
【００１８】
続いて、図４によってカバー部材について説明する。図４において、６４はカバー部材で、クローゼット本体１０ｄに対して着脱自在に装着されるものである。該カバー部材６４は、前記クローゼット本体１０ｄの左右の側部体１２Ａ、１８Ａを被覆する左右の第１及び第２側部カバー部材６４ａ，６４ｂ、及び前記クローゼット本体１０ｄの上部を被覆する上部第１カバー部材６４ｃ及び上部第２カバー部材６４ｄから構成されている。
【００１９】
第１側部カバー部材６４ａの内面には、例えば紐等で形成された結合手段６６が取付けられており、該結合手段６６を前後の第１側支柱１２ａ，１２ｂに例えば縛ることによって該第１側部カバー部材６４ａが前後の第１側支柱１２ａ，１２ｂに結合することができるように構成されている。
【００２０】
第２側部カバー部材６４ｂの内面には、同様に、例えば紐等で形成された結合手段６８が取付けられており、該結合手段６８を前後の第２側支柱１８ａ，１８ｂに例えば縛ることによって該第２側部カバー部材６４ｂが前後の第２側支柱１８ａ，１８ｂに結合することができるように構成されている。
【００２１】
上部第１カバー部材６４ｃ及び上部第２カバー部材６４ｄの内面にも、同様に、例えば紐等で形成された結合手段７０が取付けられており、該結合手段７０を前後の第１上部支柱２４ａ，２４ｂに例えば縛ることによって該上部第１カバー部材６４ｃ及び上部第２カバー部材６４ｄが前後の第１上部支柱２４ａ，２４ｂに結合することができるように構成されている。上部第１カバー部材６４ｃは上部第２カバー部材６４ｄの幅よりもやや幅広に形成されており、該上部第２カバー部材６４ｄが該上部第１カバー部材６４ｃに挿入されて、該上部第２カバー部材６４ｄが該上部第１カバー部材６４ｃの双方が互いに摺動可能となるように構成されている。
【００２２】
従って、前記クローゼット本体１０ｄの左右の側部体１２Ａ、１８Ａをそれぞれ左右の側部カバー部材６４ａ、６４ｂで被覆し、さらに前記クローゼット本体１０ｄの上部を互いに摺動可能に取付けられる一対の上部カバー部材６４ｃ、６４ｄで被覆するものである。このようにカバー部材６４をクローゼット本体１０ｄに取付けることによって最終製品であるクローゼット１０ｅを組み立てることができる。なお、上記カバー部材の材質としては、不織布や帆布等の丈夫な布材料が好適に用いられる。
【００２３】
上記のように構成することによって、水平方向に伸縮自在に構成されたクローゼット本体に対して、一人でも簡単な作業でカバー部材を着脱できるという作用効果を達成することができる。
【図面の簡単な説明】
【００２４】
【図１】本考案のクローゼット本体の組立態様の第１手順を示す斜視説明図で、クローゼット本体の第１組立体に対して前部第１カーテンパイプを装着する状態を示し、矢視Ａ図は前部第１カーテンパイプの一端部を前部第２側支柱の上端部に取付ける取付態様の拡大斜視図、矢視Ｂ図は矢視Ａ図の概略側面図、矢視Ｃ図は前部第１カーテンパイプの他端部を前部第１中間支柱の上端部に取付ける取付け態様の拡大斜視図である。
【図２】本考案のクローゼット本体の組立態様の第２手順を示す斜視説明図で、クローゼット本体の第２組立体に対して前部第２カーテンパイプを装着する状態を示し、矢視Ｄ図は前部第２カーテンパイプの他端部を前部第１側支柱の上端部に取付ける取付態様の拡大斜視図、矢視Ｅ図は矢視Ｄ図の概略側面図、矢視Ｆ図は前部第２カーテンパイプの一端部を前部第１カーテンパイプの他端部に取付ける取付け態様の拡大斜視図である。
【図３】本考案のクローゼット本体の組立態様の第３手順を示す斜視説明図で、クローゼット本体の第３組立体の前部カーテンパイプに取付けられる複数枚のカーテンを準備している状態を示す。
【図４】本考案のクローゼット本体をカバー部材で被覆する態様を示す斜視説明図で、カバー部材をそれぞれの取付け位置の近傍に配置した状態を示す。
【図５】本考案の着脱可能なカバー構造付クローゼットの組立を完成した状態を示す斜視説明図である。
【図６】前部第１下部支柱の伸縮構造を示す斜視説明図である。
【符号の説明】
【００２５】
１０ａ：クローゼット本体の第１組立体、１０ｂ：クローゼット本体の第２組立体、１０ｃ：クローゼット本体の第３組立体、１０ｄ：クローゼット本体、１０ｅ：クローゼット、１１ａ，１１ｂ，１１ｃ：第１横桟支柱、１２Ａ：第１側部体、１２ａ，１２ｂ：第１側支柱、１３ａ，１３ｂ，１３ｃ：第２横桟支柱、１４ａ，１４ｂ：第１中間支柱、１５ａ，１５ｂ，１５ｃ：第３横桟支柱、１６ａ，１６ｂ：第２中間支柱、１７ａ，１７ｂ，１７ｃ：第４横桟支柱、１８ａ，１８ｂ：第２側支柱、１８Ａ：第２側部体、１９ａ：第１中空材、１９ｂ：第２中空材、２０ａ，２０ｂ：第１下部支柱、２１ａ：ネジ孔、２１ｂ：ネジ棒、２２ａ，２２ｂ：第２下部支柱、２４ａ，２４ｂ：第１上部支柱、２６：第１縦桟支柱、３０，３２：ハンガーパイプ、３４ａ，３４ｂ，３４ｃ：網状棚材、３６：前部カーテンパイプ、３６ａ：前部第１カーテンパイプ、３６ａ：前部第２カーテンパイプ、３７：後部カーテンパイプ、３８ａ，３８ｂ，３８ｃ：支持片、４０ａ，４０ｂ，４０ｃ，４２，４４ａ，４４ｂ，５０，５２，５４：ネジ孔、４６：ネジ棒、４８：締付具、５６：カーテンフック、５８：前部カーテン、６０：カーテン孔、６２：後部カーテン、６４：カバー部材、６４ａ，６４ｂ：側部カバー部材、６４ｃ，６４ｄ：上部カバー部材、６６，６８，７０：結合手段。
【図１】
0003141011.tif 000003
【図２】
0003141011.tif 000004
【図３】
0003141011.tif 000005
【図４】
0003141011.tif 000006
【図５】
0003141011.tif 000007
【図６】
0003141011.tif 000008